(57)【要約】【課題】ヘルメットからの取り外し作業及びヘルメットへの取り付け作業を極めて容易に行うことができる顎紐を提供する。【解決手段】着用者の右耳の前方上方から着用者の右耳の下方を通って後方に延びる帯状の右耳下紐部５と、着用者の左耳の前方上方から着用者の左耳の下方を通って後方に延びる帯状の左耳下紐部４とを備える。右耳下紐部５と左耳下紐部４との夫々の前端にヘルメットに取り外し可能に連結する前端連結部１２を設ける。右耳下紐部５と左耳下紐部４との後端に互いに一体に接続され且つ折り返された後端折り返し部７を設ける。後端折り返し部７に、ヘルメットに取り外し可能に連結する後端連結部８を設ける。【選択図】図１
2019203226.tif 000002
【特許請求の範囲】
【請求項１】
着用者の頭部を覆う帽体と、該帽体の内側に設けられて着用者の頭部に接する着装体とからなるヘルメットに設けて該ヘルメットを着用者の頭部に固定する顎紐であって、
着用者の右耳の前方上方から着用者の右耳の下方を通って後方に延びる帯状の右耳下紐部と、着用者の左耳の前方上方から着用者の左耳の下方を通って後方に延びる帯状の左耳下紐部と、着用者の顎の下方を通って左右に延びて両端が夫々各耳下紐部に接続された顎下紐部とを備える顎紐において、
前記右耳下紐部と前記左耳下紐部との夫々の前端には、前記ヘルメットに取り外し可能に連結する前端連結部が設けられており、
前記右耳下紐部と前記左耳下紐部との後端には、両後端同士が互いに一体に接続され且つ折り返された後端折り返し部が形成されており、
前記後端折り返し部には、前記ヘルメットに取り外し可能に連結する後端連結部が設けられていることを特徴とする顎紐。
【請求項２】
前記後端折り返し部は、前記右耳下紐部の後端部分と前記左耳下紐部の後端部分とが厚み方向に重合する姿勢で折り返されて、前記着装体の後部に設けられた長孔状の後部挿通部に挿通自在とされ、
前記後端連結部は、前記後端折り返し部に装着された環状部材であり、
前記環状部材は、前記後端折り返し部に重合する横倒姿勢のときに少なくとも一側縁側から前記後部挿通部への挿通が可能となり、前記後端折り返し部の厚み方向に沿った起立姿勢のときに前記後部挿通部への挿通が不能となる形状であることを特徴とする請求項１記載の顎紐。
【請求項３】
前記前端連結部は、前記着装体の側部に設けられた側部挿通部に挿通して前記着装体に連結される環状部と、該環状部の一部を分断可能に接続する接続部材とを備え、
前記接続部材は、少なくとも前記環状部の一部の接続を解除した状態で前記側部挿通部に挿通可能な形状に形成されていることを特徴とする請求項１又は２記載の顎紐。
【発明の詳細な説明】
【技術分野】
【０００１】
本発明は、ヘルメットを着用者の頭部に固定する顎紐に関する。
【背景技術】
【０００２】
従来より、ヘルメットを着用者の頭部に固定するための顎紐が知られている。この種の顎紐は、ヘルメットから着用者の左右の両耳下に垂れ下がる一対の耳下紐部と、着用者の顎の下方を通って両耳下紐部を繋ぐ顎下紐部とで構成されている（例えば、特許文献１参照）。
【先行技術文献】
【特許文献】
【０００３】
【特許文献１】特開平１０−１２１３１６号公報
【発明の概要】
【発明が解決しようとする課題】
【０００４】
ところで、顎紐は、着用者に直接接触する部品である。このため、顎紐を常に清潔な状態に維持することが好ましい。そこで、顎紐は、比較的頻繁に交換が行なわれる。
【０００５】
耳下紐部は、前端と後端とが着装体又は帽体に連結されている。耳下紐部は、前端と後端との夫々には掛止孔を有する掛止部材が設けられており、着装体又は帽体には、耳下紐部の掛止部材を掛止する掛止受部が形成されている。
【０００６】
ヘルメットから顎紐を取り外すときには、４つの掛止部材を各掛止受部から取り外す必要があるため、煩わしい作業を強いられ、更に、顎紐の取り外しに先立って着装体を帽体から取り外す作業が必要な場合は、顎紐を取り外すために多くの作業工程が必要となる不都合がある。
【０００７】
上記の点に鑑み、本発明は、ヘルメットからの取り外し作業及びヘルメットへの取り付け作業を極めて容易に行うことができる顎紐を提供することを目的とする。
【課題を解決するための手段】
【０００８】
かかる目的を達成するために、本発明は、着用者の頭部を覆う帽体と、該帽体の内側に設けられて着用者の頭部に接する着装体とからなるヘルメットに設けて該ヘルメットを着用者の頭部に固定する顎紐であって、着用者の右耳の前方上方から着用者の右耳の下方を通って後方に延びる帯状の右耳下紐部と、着用者の左耳の前方上方から着用者の左耳の下方を通って後方に延びる帯状の左耳下紐部と、着用者の顎の下方を通って左右に延びて両端が夫々各耳下紐部に接続された顎下紐部とを備える顎紐において、前記右耳下紐部と前記左耳下紐部との夫々の前端には、前記ヘルメットに取り外し可能に連結する前端連結部が設けられており、前記右耳下紐部と前記左耳下紐部との後端には、両後端同士が互いに一体に接続され且つ折り返された後端折り返し部が形成されており、前記後端折り返し部には、前記ヘルメットに取り外し可能に連結する後端連結部が設けられていることを特徴とする。
【０００９】
本発明によれば、右耳下紐部と左耳下紐部とが後端折り返し部で接続されて１本に形成されており、この後端折り返し部に後端連結部が設けられている。これにより、左右の耳下紐部は後端におけるヘルメットからの取り外しやヘルメットへの取り付けが１箇所の作業で行うことができる。これにより、本発明の顎紐は、ヘルメットからの取り外し作業及びヘルメットへの取り付け作業を極めて容易に行うことができる。
【００１０】
本発明の前記後端折り返し部は、前記右耳下紐部の後端部分と前記左耳下紐部の後端部分とが厚み方向に重合する姿勢で折り返されて、前記着装体の後部に設けられた長孔状の後部挿通部に挿通自在とされ、前記後端連結部は、前記後端折り返し部に装着された環状部材であり、前記環状部材は、前記後端折り返し部に重合する横倒姿勢のときに少なくとも一側縁側から前記後部挿通部への挿通が可能となり、前記後端折り返し部の厚み方向に沿った起立姿勢のときに前記後部挿通部への挿通が不能となる形状であることが好ましい。
【００１１】
これによれば、環状部材が後部挿通部に係止されて確実に連結状態を維持することができるだけでなく、環状部材によって連結状態での紐の左右の滑りも防止することができる。そして、環状部材は、取り外す（取り付ける）際には孔を通すだけでよいので、顎紐の取り外し（取り付け）作業の煩わしさも軽減することができる。
【００１２】
また、本発明の前記前端連結部は、前記着装体の側部に設けられた側部挿通部に挿通して前記着装体に連結される環状部と、該環状部の一部を分断可能に接続する接続部材とを備え、前記接続部材は、少なくとも前記環状部の一部の接続を解除した状態で前記側部挿通部に挿通可能な形状に形成されていることが好ましい。
【００１３】
これによれば、前端連結部の接続部材による接続を解除して環状部の一部を分断させることができ、顎紐の取り外し（取り付け）作業を容易とすることができる。
【図面の簡単な説明】
【００１４】
【図１】本実施形態の顎紐を示す説明的側面図。
【図２】後端連結部及び後部挿通部の構成を示す説明図であり、図２Ａは後部挿通部への後端連結部の係止状態を示し、図２Ｂは後部挿通部から後端連結部を離脱させた状態を示し、図２Ｃは後部挿通部における後端連結部の通過途中の状態を示している。
【図３】前端連結部の構成を示す説明図であり、図３Ａは前端連結部の連結状態を示し、図３Ｂは前端連結部の連結を解除した状態を示す。
【発明を実施するための形態】
【００１５】
本発明の一実施形態を図面に基づいて説明する。図１に示すように、本実施形態の顎紐１は、着装体２に連結されている。着装体２は、図１において仮想線で示すヘルメットの帽体３の内側に設けられていて、図示しない着用者の頭部に接するものである。
【００１６】
顎紐１は、図１に示すように、着用者の左側となる位置に設けられた帯状の左耳下紐部４と、着用者の右側となる位置に設けられた帯状の右耳下紐部５と、両耳下紐部４，５を繋ぐ帯状の顎下紐部６とを備えている。
【００１７】
左耳下紐部４は、着用者の左耳の前方上方から着用者の左耳の下方を通って後方に延びる。右耳下紐部５は、着用者の右耳の前方上方から着用者の右耳の下方を通って後方に延びる。左耳下紐部４の後端と右耳下紐部５の後端とは切れ目なく連続しており、互いに重合する方向に折り返された後端折り返し部７が両者の境界となっている。左耳下紐部４と右耳下紐部５とは同一構成であるため、以下、左耳下紐部４を説明することにより右耳下紐部５の説明を省略する。
【００１８】
この後端折り返し部７には環状部材８（後端連結部）が取り付けられている。図２Ａ及び図２Ｂに示すように、環状部材８は、金属により長方形状に形成されたバックル状の部材であり、互いに隣り合う一対の長孔８ａ，８ｂを備えている。環状部材８の長孔８ａ，８ｂに後端折り返し部７を通すことにより、後端折り返し部７に環状部材８が取り付けられた状態となる。
【００１９】
着装体２の後部中央には、図２Ａ及び図２Ｂに示すように、後端折り返し部７を挿通させる後部挿通部９が形成されている。後部挿通部９は、着装体２の下縁に形成された突片部１０に形成された長穴であり、その長さ寸法Ｕは、環状部材８の長辺の長さ寸法Ｖより短く、環状部材８の短辺の長さ寸法Ｗより長い。
【００２０】
これにより、図２Ｃに示すように、環状部材８の短辺側から後部挿通部９を通すことができ、図２Ａに示すように、着装体２の外側で後部挿通部９を塞ぐように環状部材８の姿勢を変えるだけで、環状部材８が後部挿通部９に係止されるので、着装体２への後端折り返し部７の連結状態を確実に維持することができる。
【００２１】
更に、図２Ａに示すように、環状部材８が後部挿通部９に係止された状態になると、環状部材８の長孔８ａ，８ｂに通されている左耳下紐部４と右耳下紐部５との後端折り返し部７が後部挿通部９に絞められた状態となって固定され、着用中に左耳下紐部４と右耳下紐部５との長さ配分が不用意に変わってしまうことがない。
【００２２】
また、後端折り返し部７の着装体２への連結状態を解除する場合には、先ず、着装体２の外側に向かって左耳下紐部４と右耳下紐部５との後端折り返し部７を少しの長さだけ引き出し、次いで、図２Ｃに示すように、環状部材８の姿勢を変えて環状部材８の短辺側から後部挿通部９を通す。これにより、環状部材８が後部挿通部９から抜け出て、図２Ｂに示すように、着装体２から後端折り返し部７が外れるので、左耳下紐部４の後端と右耳下紐部５の後端とを同時に着装体２から外すことができる。
【００２３】
一方、図１に示すように、左耳下紐部４の前端部には、着装体２に設けられた側部挿通部１１に連結される前端連結部１２が設けられている。右耳下紐部５の前端部とそれに対応する位置の着装体２にも同様のものが設けられている。
【００２４】
図３Ａ及び図３Ｂに示すように、着装体２の側部挿通部１１は、着装体２に吊設された金属製の円環により構成されている。前端連結部１２は、左耳下紐部４の前端の所定の長さ部分を折り返して環状に形成した環状部１２ａと、環状部１２ａの形状を解除自在に維持するためのスナップボタン１２ｂ（接続部材）とで構成されている。
【００２５】
図３Ａに示すように、環状部１２ａを側部挿通部１１の円環に通してスナップボタン１２ｂを留めることで、前端連結部１２が着装体２に連結される。そして、図３Ｂに示すように、スナップボタン１２ｂを外して前端連結部１２の環状部１２ａの環状形状を解除して帯状とし、側部挿通部１１の円環から抜き取ることで、容易に左耳下紐部４の前端を着装体から分離させることができる。右耳下紐部５も同様である。
【００２６】
このように、本実施形態の顎紐１は、その前側については、左右２箇所の各前端連結部１２の連結を解除するものの、後側については、後端連結部である環状部材８で１箇所の連結を解除するだけで着装体２から左右共に分離させることができるので、顎紐１の交換作業等を容易に行うことができる。
【符号の説明】
【００２７】
１…顎紐、２…着装体、３…帽体、４…左耳下紐部、５…右耳下紐部、６…顎下紐部、７…後端折り返し部、８…環状部材（後端連結部）、９…後部挿通部、１１…側部挿通部、１２…前端連結部、１２ａ…環状部、１２ｂ…スナップボタン（接続部材）。
【図１】
2019203226.tif 000003
【図２】
2019203226.tif 000004
【図３】
2019203226.tif 000005